(57)【要約】【課題】  既設ベッドにも容易に適用することができ、患者の通常生活には全く支障がなく簡単に使用できる臥位患者の持上げ方法、及び持上げ装置を提供すること。【解決手段】  臥位状態の患者Ｓとベッド面１０との間に一側方より他側方へシート，ネットその他のベルト状部材５を通す工程と、前記ベルト状部材５を前記患者Ｓの両側方に沿ってほぼ水平かつ互いに平行になるように撤去可能に配置された保持部材３，３にそれぞれ保持させることにより、患者Ｓを中間に位置させて当該ベルト状部材５を弛ませた状態にセットする工程と、前記保持部材３，３の一方又は両方により、前記ベルト状部材５をラチェット機構４で逆転を防止しつつ巻き取る工程とを含むことを特徴としている。【選択図】      図１
2005160813.tif 000002
【特許請求の範囲】
【請求項１】
臥位状態の患者（Ｓ）とベッド面（１０）との間に一側方より他側方へシート，ネットその他のベルト状部材（５）を通す工程と、前記ベルト状部材（５）の長さ方向の二箇所を前記患者（Ｓ）の両側方に沿ってほぼ水平かつ互いに平行になるように撤去可能に配置された保持部材（３，３）にそれぞれ保持させることにより、患者（Ｓ）を中間に位置させて当該ベルト状部材（５）を弛ませた状態にセットする工程と、前記保持部材（３，３）の一方又は両方により、前記ベルト状部材（５）をラチェット機構（４）で逆転を防止しつつ巻き取る工程とを含む、臥位状態の患者の持ち上げ方法。
【請求項２】
患者（Ｓ）とベッド面（１０）との間にベルト状部材（５）を通す工程では、患者（Ｓ）の首の下，腰の下又は膝から大腿までの下のいずれかの二箇所にそれぞれ通される硬質の少なくとも二本のガイドバー（６，６）により前記ベルト状部材（５）の片端部分をガイドさせる、請求項１に記載の臥位状態の患者の持ち上げ方法。
【請求項３】
上面が先端方向へ下り傾斜して断面がほぼ三角形状を呈するガイド部材（７）を臥位状態の患者（Ｓ）とベッド面（１０）との間に一側方より他側方へ向けて押し通す工程と、前記患者（Ｓ）側に接触する上部無端ベルト機構（８０）と、当該上部無端ベルト機構（８０）との間に所定の空間（ｅ）を介してベッド面（１０）側に接触する状態に配置された下部無端ベルト機構（８１）とを、前記ガイド部材（７）に続けて前記患者（Ｓ）とベッド面（１０）との間に挿入する工程を含む、臥位状態の患者の持ち上げ方法。
【請求項４】
臥位状態の患者（Ｓ）の両側方に沿ってベッド面（１０）より必要量浮上した状態でほぼ水平かつ互いに平行に配置される保持部材（３，３）と、各保持部材（３）をそれぞれ支持する少なくとも各一対の支柱部材（２，２），（２，２）と、前記患者（Ｓ）とベッド面（１０）との間に通され患者（Ｓ）を中間に位置させた弛み状態で前記各保持部材（３，３）に保持されるシート，ネットその他のベルト状部材（５）と、を備え、前記保持部材（３，３）の少なくとも一方は、前記ベルト状部材（５）を巻き取る巻取りローラ（３０）を含む巻取り機構（３ａ）で構成され、当該巻取り機構（３ａ）は前記巻取りローラ（３０）の逆転防止用のラチェット機構（４）を備えている、臥位状態の患者の持上げ装置。
【請求項５】
前記巻取り機構（３ａ）は、前記ベルト状部材（５）を巻取りローラ（３０）へ案内するプーリー状の少なくとも一つのガイドローラ（３０ａ）を備えている、請求項４に記載の臥位状態の患者の持上げ装置。
【請求項６】
上面が先端方向へ下り傾斜して断面がほぼ三角形状を呈し、臥位状態の患者（Ｓ）とベッド面（１０）との間に一側方より他側方へ押し通されるガイド部材（７）と、当該ガイド部材（７）の後端部へ追随する状態に取り付けられた追随部材（８）とから構成され、当該追尾部材（８）は、互いに平行な多数のローラ（８０ａ）に保持されたベルト（８０ｂ）を備え前記患者（Ｓ）側に接触する上部無端ベルト機構（８０）と、互いに平行な多数のローラ（８１ａ）に保持されたベルト（８１ｂ）を備え前記上部無端ベルト機構（８０）との間に所定の空間（ｅ）を介してベッド面（１０）側に接触する状態に配置された下部無端ベルト機構（８１）とから構成されている、臥位状態の患者の持上げ装置。
【発明の詳細な説明】
【技術分野】
【０００１】
本発明は、例えば自力では起き上がれない臥位状態にある患者の一部又は全部を持上げる持上げ方法及びその装置に関するものである。
【背景技術】
【０００２】
寝たきり患者等の臥位状態にある患者の検診や介護の際には、体の一部又は全部を持ち上げる必要がしばしば生ずる。例えば、移動型Ｘ線撮影装置を用いて患者のＸ線撮影を行うに当たって患者とベッド面との間に放射線カセッテや付属品（例えば、放射線画像に悪影響を及ぼす散乱線遮断のためのグリッド、適切な露光のためのフォトタイマ等）を配置したり、ベッドのシーツを交換したり、おむつを交換する等々の場合である。
臥位状態にある患者を持ち上げる際には、看護人や検査担当者である持上げ側の重労働の負担を軽減するとともに患者の負担や不快感を軽減する必要がある。
【０００３】
前述のような必要性に応えるため、例えば次のような手段が提案されている。
第１は、後記特許文献１に記載されている放射線カセッテ装着補助具のように、患者側に接触する上部部材と、ベッド面側に接触する下部部材との間に、パンタグラフ状の手動リフタを取り付け、上部部材と下部部材の間隔を最小限にした状態で患者とベッド面との間に一側方より他側方へ向かって挿入し、前記手動リフタにより上部部材とともに患者の背中を持ち上げる手段である。
第２は、後記特許文献２に記載されている介護用の多目的ベッドのように、円筒形マット片を密に並べたベッドを設置し、ベッドの両側上方に天井より吊り下げ状に巻取りローラを平行に設置し、ベッド上には多数の幅狭いベルトを所定の間隔に配置し、各ベルトを弛ませた状態でそれらの両端を前記巻取りローラに固定し、前記ベッド上に患者を仰臥させ、前記各ベルトを巻取りローラにより巻き上げて患者を持ち上げる手段である。
第３は、後記特許文献３に記載されている介護用ベッドのように、ベッドの四隅にリフトブロックを設置し、ベッドの両側に沿う水平なリフトバーを前記それぞれのリフトブロックに支持させ、患者とベッド面との間に敷いたネット又は布の両側を前記リフトバーに結び付け、当該リフトバーを動力により昇降させて患者を持ち上げる手段である。
【特許文献１】特開２００３−２０２６３６号公報
【特許文献２】特開平１０−３２３３７１号公報
【特許文献３】特開９−１９４６２号公報
【発明の開示】
【発明が解決しようとする課題】
【０００４】
前記第１の手段によれば、手動リフタを限界まで下降させても機構上補助具全体の厚みは相当な厚みとなることと、補助具を患者の側方から患者とベッド面との間に押し込む際の摩擦が滑り摩擦であるため、患者に対する摩擦による抵抗感が大きい。
前記第２の手段によれば、各バンドを常に前記のように設置した状態に保つので、患者の通常生活の際は各バンドが邪魔になるほか、患者に対する圧迫感が大きい。また、機構上大型化し、汎用性のある通常のベッドや既設のベッドに適用することができない。
前記第３の手段によれば、ベッドの四隅に設置されるリフトブロックには、それぞれリフト駆動機構（スプロケット、チェーン、ワイヤロープ等）を設置する必要があるので、装置が大型化するほか、既設ベッドには使用できないか、使用できても既設ベッドの大幅な改造を必要とする。
本発明の解決課題は、既設ベッドにも容易に適用することができ、しかも患者の通常生活には全く支障がなく簡単に使用できる臥位患者の持上げ方法、及びその方法を円滑に実施することができる装置を提供することにある。
【課題を解決するための手段】
【０００５】
本発明に係る臥位状態の患者の持ち上げ方法及び持ち上げ装置は、前述の課題を解決するため以下のように構成したものである。
すなわち、本発明に係る臥位状態の患者の持ち上げ方法の第１は、臥位状態の患者Ｓとベッド面１０との間に一側方より他側方へシート，ネットその他のベルト状部材５を通す工程と、前記ベルト状部材５を前記患者Ｓの両側方に沿ってほぼ水平かつ互いに平行になるように撤去可能に配置された保持部材３，３にそれぞれ保持させることにより、患者Ｓを中間に位置させて当該ベルト状部材５を弛ませた状態にセットする工程と、前記保持部材３，３の一方又は両方により、前記ベルト状部材５をラチェット機構４で逆転を防止しつつ巻き取る工程とを含むことを主要な特徴としている。
【０００６】
本発明に係る臥位状態の患者の持上げ方法の第２は、上面が先端方向へ下り傾斜して断面がほぼ三角形状を呈するガイド部材７を臥位状態の患者Ｓとベッド面１０との間に一側方より他側方へ向けて押し通す工程と、前記患者Ｓ側に接触する上部無端ベルト機構８０と、当該上部無端ベルト機構８０との間に所定の空間ｅを介してベッド面１０側に接触する状態に配置された下部無端ベルト機構８１とを、前記ガイド部材７に続けて前記患者Ｓとベッド面１０との間に挿入する工程を含むことを主要な特徴としている。
【０００７】
本発明に係る臥位状態の患者の持上げ装置の第１は、臥位状態の患者Ｓの両側方に沿ってベッド面１０より必要量浮上した状態でほぼ水平かつ互いに平行に配置される保持部材３，３と、各保持部材３をそれぞれ支持する少なくとも各一対の支柱部材２，２及び２，２と、前記患者Ｓとベッド面１０との間に通され患者Ｓを中間に位置させた弛み状態で前記各保持部材３，３に保持されるシート，ネットその他のベルト状部材５と、を備え、前記保持部材３，３の少なくとも一方は、前記ベルト状部材５を巻き取る巻取りローラ３０を含む巻取り機構３ａで構成され、当該巻取り機構３ａは前記巻取りローラ３０の逆転防止用のラチェット機構４を備えていることを主要な特徴としている。
【０００８】
本発明に係る臥位状態の患者の持上げ装置の第２は、上面が先端方向へ下り傾斜して断面がほぼ三角形状を呈し、臥位状態の患者Ｓとベッド面１０との間に一側方より他側方へ押し通されるガイド部材７と、当該ガイド部材７の後端部へ追随する状態に取り付けられた追随部材８とから構成され、当該追随部材８は、互いに平行な多数のローラ８０ａに保持されたベルト８０ｂを備え前記患者Ｓ側に接触する上部無端ベルト機構８０と、互いに平行な多数のローラ８１ａに保持されたベルト８１ｂを備え前記上部無端ベルト機構８０との間に所定の空間ｅを介してベッド面１０側に接触する状態に配置された下部無端ベルト機構８１とから構成されていることを主要な特徴としている。
【発明の効果】
【０００９】
第１の持上げ方法によれば、患者Ｓとベッド面１０との間にベルト状部材５を通し、これを両側方に平行状にかつ撤去可能に配置した保持部材３，３へ患者Ｓを中間にして弛み状に保持させ、一方又は双方の保持部材３によりラチェット機構４を用いて逆転を防止しつつベルト状部材５の巻き取るので、既設ベッドにも簡単に使用することができる。ベルト状部材５や保持部材３等の用具は使用後撤去できるので、患者や介護者等の通常の生活には支障がない。また、ラチェット機構４を使用したベルト状部材５の巻き取りによる当該ベルト状部材５の緊張は、患者を徐々に持ち上げるので患者に不安感を与えることがない。
また、持ち上げた患者の下に放射線カセッテ等をセットして仰臥したままの患者のＸ線撮影を行うことができるほか、シーツの交換や患者のおむつの交換をすることができる。
【００１０】
第２の持ち上げ方法によれば、先頭のガイド部材７と後続の上下の無端ベルト機構８０，８２とを、患者Ｓとベッド面１０との間に一側方より他側方へ押し込む要領で挿入することにより、下部無端ベルト機構８１の底面から上部無端ベルト機構８０の上面までの厚み相当分患者をベッド面から簡単に持ち上げることができる。また、既設ベッドにも容易に使用できるほか、全体の厚みを小さくすることができることと、無端ベルト機構８０，８１は摩擦が小さいこととにより、患者に対する摩擦による抵抗感は小さい。さらに、上下部の無端ベルト８０，８１の間に空間ｅがあるので、この空間に放射線カセッテや放射線カセッテとともにその付属品を配置し、仰臥したままの状態で患者のＸ線撮影を行うことができる。
【００１１】
第１の持ち上げ装置は第１の持ち上げ方法を円滑に実施することができ、第２の持ち上げ装置は第２の持ち上げ方法を円滑に実施することができる。
【発明を実施するための最良の形態】
【００１２】
持上げ装置の第１実施形態
図１は請求項３に対応する持上げ装置の第１実施形態を示す図で、（ａ）図は患者がベッド面に仰臥している状態を患者の頭部の方向から見た部分正面図、（ｂ）図は患者がベッド面から持上げられた状態を患者の頭部の方向から見た部分正面図、図２は図１の装置の一方の保持ユニット（保持部材と支柱等との組合せ）を示す斜視図である。
【００１３】
第１実施形態の臥位患者の持上げ装置は、例えば放射線カセッテ等を患者の背中側にセットする場合のように、患者を比較的小さく持上げるのに適するものである。
１はその上に患者Ｓが仰臥しているベッドであり、そのベッド面１０上には、患者Ｓの上半身の両側方に沿って当該ベッド面１０より必要量浮上した状態でほぼ水平かつ互いに平行に円柱状の保持部材３，３が配置され、各保持部材３，３は、図２で示すようにベッド面１０に置かれたそれぞれ一対の支柱部材２，２の上部に取り付けられた状態で支持されてる。
一対の支柱部材２，２は板状であって、一体のすペーサを兼ねる連結部材２０を介して連結された状態に構成されている。この連結部材２０は、一方又は両方の支柱部材２とは別部材で構成し、当該連結部材２０と支柱部材２，２とをねじにより連結することができる。
各連結部材２０相互は、補強板２１を介して適数の連結バー２３でそれぞれ連結されることにより、図１の左右方向への倒れが防止されているとともに各保持部材３，３相互の平行を保っている。連結部材２０，補強板２１及び連結バー２３相互は適数のねじ（この形態では蝶ねじ）２２によって連結され、各連結バー２３には後述のガイドバー６がそのまま使用されている。
各支柱２，連結部材２０，補強板２１及び連結バー２３には硬質の材料が使用されるが、強靭でさび難いステンレスを使用するのが好ましい。
【００１４】
各保持部材３には、例えば図３で示すように全長に沿ってステンレス等の弾性部材からなるクリップ片３１を、一端が保持部材３に止められた状態に取り付け、後述のベルト状部材５をクリップ片３１で保持部材３に押える状態に挟んで、ベルト状部材５を保持部材３に保持させるように構成している。
この実施形態では、図１の右側の保持部材３は巻取りローラ３０とラチェット機構４を含む巻取り機構３ａによって構成されている。巻取りローラ３０は前記一対の支柱部材２により支持され、ラチェット機構４は、一方の支柱部材２にそれぞれ取り付けられていてローラ３０と一体回転するラチェット４０，もどり止め４１及びハンドル４２等から構成されている。
【００１５】
第１実施形態の臥位患者の持上げ装置は、以上のように構成されているので、一方の保持部材３とそれを支持する各支柱部材２，２及び連結部材２０は一つの保持ユニット２ａを形成している。したがって、患者Ｓを挟んで平行になるように各保持ユニット２ａ，２ａをベッド面１０上に配置し、各保持ユニット２０ａ相互を複数の連結バー２３で連結することにより、持上げ装置を簡単に組み立てることができる。
【００１６】
持上げ方法の第１実施形態
第１実施形態の持上げ装置を使用した請求項１，２に対応する持上げ方法の実施形態を以下説明する。
図３は患者とベッド面との間にベルト状部材を通している状態の部分平面図、図４は患者とベッド面との間にベルト状部材を通している他の状態の部分平面図である。
【００１７】
前記第１実施形態の持上げ装置をベッド１上に組み立てる前に、臥位状態の患者Ｓとベッド面１０との間に、一側方より他側方へ向けてシート，ネットその他のベルト状部材５を通す。
患者Ｓの背中側に放射線カセッテｆ［図１（ｂ）］をセットしてＸ線撮影を行う場合には、ベルト状部材５の材質は、例えば炭素繊維強化プラスチック、布その他のＸ線吸収が少なくかつ患者Ｓの体重の相当量を支えるに必要十分な強度をもつものを選択するのが好ましい。
【００１８】
ベルト状部材５を患者Ｓとベッド面１０との間に円滑に通すには、図３及び図４のように、例えばステンレス板からなり、先端を凸円弧状に形成した二本のガイドバー６，６の先端部に、例えばキャップ状のクリップ６０を用いてベルト状部材５を止め、この状態でガイドバー６，６を患者の首下部分と腰下部分に通し、ベルト状部材５を一方の側方から他方の側方へ通るようにガイドする。この過程において、ベルト状部材５が患者Ｓとベッド面１０との接触部分を通るときに当該接触部分に引っかかり、図４のようにベルト状部材５の先頭部分がＶ字状に変形してガイドバー６，６の先端部相互の間隔が狭くなることがある。このような場合には、患者Ｓの他方の側方に突出したガイドバー６相互の先端部を掴み、ガイドバー６，６が平行になるように両者の先端部の間隔を広げる。
ベルト状部材５が患者Ｓの他方の側方に突出したならば、当該ベルト状部材５を他方向へさらに引っ張って必要な引出し長さとする。
【００１９】
次いで、患者Ｓの両側方に位置するようにベッド面１０に持上げ装置の各保持ユニット２ａ，２ａを配置し、各ユニット２ａの下部相互を前記のガイドバー６，６からなる連結バー２３，２３で連結して持上げ装置を組み立てる。この状態で、ベルト状部材５の所要の部分を各保持部材３，３に保持させ、当該ベルト状部材５を患者Ｓを介して弛んだ状態にセットする。
そして、ハンドル４２を持って巻取りローラ３０を巻取り方向に低速回転させ、患者Ｓの背中とベッド面１０との間に十分な空間（例えば１６〜２０ｍｍ）が形成されるまで、ベルト状部材５を水平に近づくように緊張させ、患者Ｓの持上げ作業を終了する。
【００２０】
図１の（ｂ）図の状態に患者Ｓを持上げた後、患者Ｓの背中に放射線カセッテｆをセットし、Ｘ線撮影をすることができる。
また、同図の状態では患者Ｓの上半身が持上げられていてその下半身部分は軽いので、持上げ量によってはベッド１の図示しないシーツを交換することができる。患者の下着の交換も可能になる。
前記実施形態では、患者Ｓの頭部から腰に達する程度の幅の広い一本のベルト状部材５を使用したが、幅が比較的狭い（例えば１０ｍｍ前後）数本のベルト状部材５を用い、この各ベルト状部材５を患者Ｓの下に通し、これらのベルト状部材５を用いて患者Ｓを持上げることもできる。
さらに、患者Ｓの大腿部から膝の下のまでの適当な部分に前記のようなガイドバー６にガイドさせて、患者Ｓの身長の大半にわたる部分をカバーするベルト状部材５を使用し、端部の支柱部材２，２の間隔が長い保持ユニット２ａ，２ａを使用することにより、患者Ｓの体全体を持上げることができる。
以上のように、この実施形態の持ち上げ方法によれば、既設の通常の形態のベッドに対しても容易に実施できるほか、使用後は必要備品を撤去することにより他の介護作業や患者の通常の生活には全く支障がなく、また、持上げも簡単で熟練を要しない。
【００２１】
持上げ装置の第２実施形態
図５は臥位患者の持上げ装置の第２実施形態を患者の頭部方向から見た部分正面図である。
この実施形態の持ち上げ装置は、第１実施形態の持ち上げ装置の変形形態であって、臥位患者を前記第１実施形態の持ち上げ方法の要領によりさらに高く持上げるのに適した形態である。
【００２２】
この持上げ装置における各保持ユニット２ａは、ベッドサイドの床上に設置して使用されるもので、保持ユニット２ａの支柱部材２は、ベッドサイドの床上に立てたときに上端が患者Ｓよりも相当程度上方レベルに位置する高さを有し、各支柱２，２とスペーサを兼ねた連結部材２０及び補強板２１はねじ２２によって連結されており、各支柱２の長さ方向の中間位置と補強版２１とは、それぞれ他のねじ２２により方杖部材２４を介して連結して倒れ難いように補強されている。
各ユニット２ａにおける連結部材２０相互は、前記補強板２１を介して適数の連結バー２３によって連結され、連結部材２０と連結バー２３とは他のねじ２２により固定されるように構成されている。各連結バー２３は前述のガイドバー６とは別の部材である。
各ユニット２ａの支柱２には、それぞれ巻取りローラ３０及びラチェット機構４を含む巻取り機構３ａからなる保持部材３が取り付けられている。
【００２３】
第２実施形態の持ち上げ装置の他の構成は第１実施形態の持上げ装置と同様であり、また、それを使用した持上げ方法は、各保持部材３，３がそれぞれ巻取りローラと３０とラチェット機構４とを含み、ベルト状部材５が各保持部材３，３によって巻き取られる点を異にするほかは、第１実施形態の持ち上げ方法と同様であるので、それらの説明は省略する。
そして、その他の作用・効果も第１実施形態の持ち上げ方法及び装置と同様である。
【００２４】
持上げ装置の第３実施形態
図６は臥位患者の持上げ装置の第３実施形態を部分的に示す部分正面図であり、この実施形態の持ち上げ装置は請求項５に対応するものである。
この実施形態では、一方又は双方の保持ユニット２ａの保持部材３は、支柱部材２，２に取り付けられた巻取りローラ３０、ラチェット機構４、及びベルト状部材５を巻取りローラ３０へ案内するため巻取りローラ３０の上方に平行に設けられたガイドローラ３０ａを含む巻取り機構３ａによって構成されている。
この実施形態の持上げ装置は、巻取り機構３ａはガイドローラ３０ａを有しているので、ベルト状部材５がより安定する利点がある。
なお、一方の保持部材３を図６のような巻取り機構３ａで構成し、他方の保持部材３を同様なガイドローラ３０ａとベルト状部材５を保持する保持ローラとによって構成することができる。
この実施形態の持上げ装置を用いた持上げ方法の実施形態は第１実施形態の持上げ方法とほぼ同様である。
また、この実施形態の持上げ装置の他の構成や作用効果は、第１実施形態の持上げ装置とほど同様であるのでそれらの説明は省略する。
【００２５】
持上げ装置の第４実施形態
図７は臥位患者の持上げ装置の第４実施形態を患者の頭部方向から見た部分正面図であり、この実施形態の持ち上げ装置は請求項６に対応するものである。
７は上面が先端方向へ下り傾斜して断面がほぼ鋭角の三角形状を呈するガイド部材であり、臥位状態の患者Ｓとベッド面１０との間に一側方より他側方へ押し通されるもので、少なくともその表面層は、ポリアセタール，超高密度ポリエチレンその他の低摩擦プラスチックにより構成されている。
前記ガイド部材７の後端部には、当該ガイド部材７に追随する状態に追随部材８が取り付けられている。この追随部材８は、互いに平行な多数（この実施形態では、前後端部に各二個で都合四個）のローラ８０ａに保持されたベルト８０ｂを備え、患者Ｓ側に接触する上部無端ベルト機構８０と、互いに平行な多数（この実施形態では、前後端部に各二個、中央に四個で都合八個）のローラ８１ａに保持されたベルト８１ｂを備え、上部無端ベルト機構８０との間に所定の空間ｅを介してベッド面１０側に接触する状態に配置された下部無端ベルト機構８１とから構成されている。
【００２６】
具体的には、ガイド部材７の後端部の高さ方向のほぼ中央部には肉厚の水平な取付部材８２ｂが一体に形成されるか、あるいはねじ等により取り付けられており、この取付部材８２ｂの下面にはステンレス等のベース板８２ａが固定されている。さらに、ベース板８２ａの後端部には前記取付部材８２ｂとほぼ平行するように同様な厚みの取付部材８２ｃが固定されている。
上部無端ベルト機構８０及び下部無端ベルト機構８１の前端部及び後端部の二つのローラ８０ａ，８１ａは、それぞれ前後の取付部材８２ｂ，８２ｃの両側部に取り付けられたステンレス板等からなる各支持片８２ｄへ回転自在に取り付けられている。
下部無端ベルト機構８１の他のローラ８１ａは、ベース板８２ａの両側部下部に固定されたステンレス板等の各支持片８２ｅへ回転自在に取り付けられている。
各ベルト８０ｂ，８１ｂは低摩擦部材であるのが好ましく、また、ベルト８０ｂはさらにＸ線吸収の少ない部材であるのが好ましい。これらの各ベルト８０ｂ，８１ｂは、それぞれの多数のローラ８０ａ，８１ａへそれぞれ緊張した状態で保持されている。
後端部の取付部材８２ｃには、操作用のハンドル８３が幅方向に沿って取り付けられている。
【００２７】
各無端ベルト機構８０，８１の長さ（患者Ｓの肩幅方向の量）は、患者Ｓの肩幅より広く、前後端部の各支持片８２ｄにより高さが規制されている上下の無端ベルト機構８０，８１間の空間ｅの高さは１６〜１９ｍｍで、空間ｅの長さは患者Ｓの肩幅とほぼ同じかそれよりもやや小さくしてある。各ローラ８０ａ，８１ａの直径は５〜８ｍｍの間で製造上支障のない範囲で選ばれる。したがって、全体の厚みは３０〜３８ｍｍ程度となる。
ガイド部材７及び追随部材８の幅（患者Ｓの身長方向の量）は、患者の肩から腰近傍まで達する程度である。
【００２８】
持上げ方法の第２実施形態
第３実施形態の持ち上げ装置の空間ｅに放射線カセッテｆを挿入セットし、当該持上げ装置を、その先端のガイド部材７を先頭部として患者Ｓの背中とベッド面１０との間にハンドル８３を持って図示のように押し込むと、ガイド部材７に先導された状態で追随部材８が患者Ｓとベッド面１０との間へ徐々に挿入され、それに伴って患者Ｓの体は図の左側から順次押し上げられ、追随部材８の厚み分持ち上げられ（押し上げられ）る。
前記の過程において、上部無端ベルト機構８０は図の矢印ｃで示す時計方向に回動し、下部無端ベルト機構８１は図の矢印ｄで示す反時計方向に回動するので、患者Ｓ及びベッド面１０と追随部材８との摩擦は小さく、したがって患者Ｓに対する摩擦による圧迫感は小さく、極めて円滑に患者を持ち上げることができる。
【図面の簡単な説明】
【００２９】
【図１】請求項３に対応する持上げ装置の第１実施形態を示す図で、（ａ）図は患者がベッド面に仰臥している状態を患者の頭部の方向から見た部分正面図、（ｂ）図は患者がベッド面から持上げられた状態を患者の頭部の方向から見た部分正面図である。
【図２】図１の装置の一方の保持ユニットを示す斜視図である。
【図３】患者とベッド面との間にベルト状部材を通している状態の部分平面図である。
【図４】患者とベッド面との間にベルト状部材を通している他の状態の部分平面図である。
【図５】臥位患者の持上げ装置の第２実施形態を患者の頭部方向から見た部分正面図である。
【図６】臥位患者の持上げ装置の第３実施形態を示す部分正面図である。
【図７】臥位患者の持上げ装置の第４実施形態を患者の頭部方向から見た部分正面図である。
【符号の説明】
【００３０】
ｃ，ｄ  矢印
ｅ  空間
ｆ  放射線カセッテ
１  ベッド
１０  ベッド面
２  支柱
２ａ  保持ユニット
２０  連結部材
２１  補強板
２２  ねじ
２３  連結バー
２４  方杖部材
３  保持部材
３ａ  巻取り機構
３０  巻取りローラ
３０ａ  ガイドローラ
３１  クリップ片
４  ラチェット機構
４０  ラチェット
４１  もどり止め
４２  ハンドル
５  ベルト状部材
６  ガイドバー
７  ガイド部材
８  追随部材
８０  上部無端ベルト機構
８１  下部無端ベルト機構
８０ａ，８１ａ  ローラ
８０ｂ，８１ｂ  ベルト
８２ａ  ベース板
８２ｂ，８２ｃ  取付部材
８２ｄ，８２ｅ  支持片
８３  ハンドル
【図１】
2005160813.tif 000003
【図２】
2005160813.tif 000004
【図３】
2005160813.tif 000005
【図４】
2005160813.tif 000006
【図５】
2005160813.tif 000007
【図６】
2005160813.tif 000008
【図７】
2005160813.tif 000009